(57)【特許請求の範囲】
【請求項１】
網材を袋状にした営巣受け部と、
該営巣受け部の開口部を開いた状態で、営巣受け部を被固定部材に固定するための固定手段とを備え、
営巣受け部は、開口部側が帯状に形成された細目の網材で構成され、該細目の網材よりも底部側が帯状に形成された粗目の網材で構成され、
前記細目の網材は、収容する営巣材を、底部を構成する粗目の網材内まで落とし込みすべく案内する幅の帯状であることを特徴とする営巣材落下防止ネット。
【請求項２】
袋状にした営巣受け部と、
該営巣受け部の開口部を開いた状態で、営巣受け部を被固定部材に固定するための固定手段とを備え、
営巣受け部は、開口部側が帯状に形成されたシートで構成され、該シートよりも底部側が帯状に形成された網材で構成され、
前記シートは、収容する営巣材を、底部を構成する網材内まで落とし込みすべく案内する幅の帯状であることを特徴とする営巣材落下防止ネット。
【請求項３】
前記固定手段は、営巣受け部の開口部から延出して設けられた紐材、あるいは、営巣受け部の開口部に取り付けられた面ファスナーであることを特徴とする請求項１又は２に記載の営巣材落下防止ネット。
【請求項４】
営巣受け部は、営巣受け部の開口部に挿通された紐材を設けたことを特徴とする請求項１乃至３のいずれか１項に記載の営巣材落下防止ネット。
【発明の詳細な説明】
【技術分野】
【０００１】
本発明は、例えば、鉄塔のアームに営巣された営巣材を撤去する際に、アームから営巣材が落下するのを防止するための営巣材落下防止ネットに関する。
【背景技術】
【０００２】
従来より、電柱で営巣された営巣材を撤去する際に使用される種々の営巣材落下防止ネットが提供されている。例えば、電柱の腕金に営巣された営巣材の下方に、枠体に張設された網材を配置する営巣材落下防止ネットが提供されている（特許文献１参照）。
【０００３】
この営巣材落下防止ネットは、矩形状の枠体と、該枠体に張設された網材と、枠体に取り付けられた複数の吊部材とを備える。
【０００４】
そして、撤去した営巣材を網材に向かって落下させて収容している。
【先行技術文献】
【特許文献】
【０００５】
【特許文献１】特開２００８−２６１１２３号公報
【発明の概要】
【発明が解決しようとする課題】
【０００６】
上記構成の営巣材落下防止ネットの場合、撤去した営巣材を網材に落とし込む際、場合によっては、網材の開口部近傍に営巣材が引っ掛かって、網材の開口部から網材内に落とし込めず、営巣材を網材で包み込んで収容できない可能性がある。
【０００７】
そこで、本発明は、上記課題に鑑み、撤去した営巣材を網材の開口部近傍に引っ掛けることなく、網材の開口部から網材内に確実に落とし込んで収容できる営巣材落下防止ネットを提供することを目的とする。
【課題を解決するための手段】
【０００８】
本発明に係る営巣材落下防止ネットは、網材を袋状にした営巣受け部と、該営巣受け部の開口部を開いた状態で、営巣受け部を被固定部材に固定するための固定手段とを備え、営巣受け部は、開口部側が帯状に形成された細目の網材で構成され、該細目の網材よりも底部側が帯状に形成された粗目の網材で構成され、前記細目の網材は、収容する営巣材を、底部を構成する粗目の網材内まで落とし込みすべく案内する幅の帯状であることを特徴とする。
【０００９】
かかる構成によれば、細目の網材及び粗目の網材によって風をうまく逃がすことができて、風の影響を受けることなく、営巣受け部を被固定部材に取り付けることができる。また、開口部側の所定範囲の細目の網材の開口部近傍に営巣材を引っ掛けることなく、営巣受け部の開口部から営巣受け部内に営巣材を確実に落とし込んで収容することができるとともに、収容した営巣材を営巣受け部で包み込んで落下させることなく持ち運ぶことができる。
【００１０】
別の発明に係る営巣材落下防止ネットは、袋状にした営巣受け部と、該営巣受け部の開口部を開いた状態で、営巣受け部を被固定部材に固定するための固定手段とを備え、営巣受け部は、開口部側が帯状に形成されたシートで構成され、該シートよりも底部側が帯状に形成された網材で構成され、前記シートは、収容する営巣材を、底部を構成する網材内まで落とし込みすべく案内する幅の帯状であることを特徴とする。
【００１１】
かかる構成によれば、網材によって風をうまく逃がすことができて、風の影響を受けることなく、営巣受け部を被固定部材に取り付けることができる。また、開口部側の所定範囲のシートの開口部近傍に営巣材を引っ掛けることなく、営巣受け部の開口部から営巣受け部内に営巣材を確実に落とし込んで収容することができるとともに、収容した営巣材を営巣受け部で包み込んで落下させることなく持ち運ぶことができる。
【００１２】
前記固定手段は、営巣受け部の開口部から延出して設けられた紐材、あるいは、営巣受け部の開口部に取り付けられた面ファスナーであることが好ましい。
【００１３】
かかる構成によれば、固定手段が紐材である場合、営巣材の下方で、営巣材を落とし込めるように、営巣受け部の開口部を営巣材よりも大きく開いた状態で、被固定部材に紐材を結びつけて、被固定部材に営巣受け部を取り付ける。また、固定手段が面ファスナーである場合、営巣材の下方で、営巣材を落とし込めるように、営巣受け部の開口部を営巣材よりも大きく開いた状態で、被固定部材に営巣受け部の開口周縁部を巻き付けて、雄型及び雌型の面ファスナーを互いに面着させて、被固定部材に営巣受け部を取り付ける。
【００１４】
また、固定手段が紐材である場合、営巣材を収容した営巣受け部の開口部を括って閉じることができる。また、固定手段が面ファスナーである場合、雄型及び雌型の面ファスナーを互いに面着させることで、営巣材を収容した営巣受け部の開口部を容易に閉じることができる。
【００１５】
さらに、営巣受け部は、営巣受け部の開口部に挿通された紐材を設けることが好ましい。
【００１６】
かかる構成によれば、営巣受け部に営巣材を収容した状態で、紐材を引っ張ることで、営巣受け部の開口部を絞って閉じれば、開口部から営巣材を落下させることなく持ち運べる。
【発明の効果】
【００１７】
以上のように、本発明によれば、営巣材を網材の開口部近傍に引っ掛けることなく、網材の開口部から網材内に確実に落とし込んで収容できる、といった優れた効果を奏し得る。
【図面の簡単な説明】
【００１８】
【図１】図１は、本発明の一実施形態に係る営巣材落下防止ネットを示す斜視図。
【図２】図２は、同実施形態に係る営巣材落下防止ネットを鉄塔のアームに実装した状態を示す斜視図。
【図３】図３は、同実施形態に係る営巣材落下防止ネットの営巣受け部内に営巣材を落とし込んで収容した状態を示す斜視図。
【図４】図４は、同実施形態に係る営巣材落下防止ネットにおいて、営巣材を収容した営巣受け部の開口部を紐材で括った状態を示す斜視図。
【図５】図５は、同実施形態に係る営巣材落下防止ネットの変形例を示す図であり、開口部に沿って面ファスナーを配置した営巣受け部を示す図。
【図６】図６は、同実施形態に係る営巣材落下防止ネットの変形例を示す図であり、開口部に紐材を挿通した営巣受け部を示す図。
【図７】図７は、同実施形態に係る営巣材落下防止ネットの変形例を示す図であり、開口部側の所定範囲をシートで構成した営巣受け部を示す図。
【図８】図８は、同実施形態に係る営巣材落下防止ネットを、営巣材を覆うように鉄塔のアームに実装した状態を示す斜視図。
【発明を実施するための形態】
【００１９】
本発明の一実施形態に係る営巣材落下防止ネットについて図１〜図４を参照しながら説明する。なお、本実施形態においては、鉄塔のアームに営巣された営巣材を収容する営巣材落下防止ネットを例にとって説明する。
【００２０】
本実施形態に係る営巣材落下防止ネットは、図１に示す如く、営巣受け部２と、固定手段３とを備える。
【００２１】
営巣受け部２は、網材を袋状にしたものである。具体的には、一対の矩形状の網材を対向させて、両網材の両側部と底部とを縫い合わせて袋状にしたものである。より具体的には、営巣受け部２の開口部２ａ側の所定範囲が細目の網材２０で幅小の帯状に構成され、前記所定範囲以外が粗目の網材２１で幅大の帯状に構成される。営巣受け部２の素材としては、例えば、耐候性があって、軽量で可撓性を有する合成樹脂材が好ましい。
【００２２】
そして、細目の網材２０の網目は、例えば、１〜２ｍｍ角で、粗目の網材２１の網目は、例えば、３〜５ｍｍ角であることが好ましい。また、細目の網材２０の占有面積が、粗目の網材２１の占有面積よりも小さく設定されている。この理由としては、営巣受け部２に対する風の影響を少なくするためである。また、営巣受け部２の開口部２ａ側の所定範囲を細目の網材２０で構成することにより、営巣受け部２の開口部２ａからの営巣材Ｘの営巣受け部２内への落とし込みが円滑に行われる。
【００２３】
本実施形態において、固定手段３は、営巣受け部２の開口部２ａから延出して設けられた複数の紐材である。具体的には、紐材３は、営巣受け部２の開口部２ａに所定の間隔をおいて２本ずつ取り付けられている。それぞれの紐材３，３の一端部が並列して取り付けられ、それぞれの他端部が自由端となるように設けられている。そして、紐材３によって、営巣受け部２の開口部２ａを開いた状態で、営巣受け部２を、被固定部材である鉄塔ＰのアームＡを構成する鋼材Ｓに対して自在に固定する（図２参照）。なお、紐材３は、営巣材防止ネット１を鉄塔ＰのアームＡに強固に取り付けられることが可能であれば、営巣受け部２の開口部２ａに所定の間隔をおいて１本ずつ配置してもよい。
【００２４】
つぎに本実施形態に係る営巣材落下防止ネット１の使用態様について説明する。まず、図１に示す如く、営巣受け部２の開口部２ａを両側から引っ張って、営巣受け部２の開口部２ａを矩形状に開いた状態にする。具体的には、営巣材Ｘを落とし込めるように、営巣受け部２の開口部２ａの大きさを、営巣材Ｘよりも大きくなるように開く。
【００２５】
そして、図２に示す如く、営巣材Ｘの下方に、営巣受け部２の開口部２ａが位置するように、該開口部２ａに取り付けられた紐材３を、鉄塔ＰのアームＡを構成する鋼材Ｓに巻き付けて、鋼材Ｓに営巣受け部２を固定する。
【００２６】
鉄塔ＰのアームＡの鋼材Ｓから営巣材Ｘを撤去して、図３に示す如く、営巣受け部２内に営巣材Ｘを落とし込んで、営巣受け部２に営巣材Ｘを包み込むように収容する。
【００２７】
この際、営巣受け部２の開口部２ａ側の所定範囲が細目の網材２０になっているので、営巣受け部２の開口部２ａ近傍で営巣材Ｘが引っ掛かることがなく、営巣受け部２内に営巣材Ｘを落とし込んで収容することができる。特に、営巣材Ｘに使用される金属製のハンガーや鉄線や木の枝が、営巣受け部２の細目の網材２０の網目に引っ掛かることがないので、粗目の網材２１内まで営巣材Ｘを容易に落とし込んで収容することができる。
【００２８】
つぎに、図４に示す如く、営巣材Ｘを収容する際に大きく開口させた状態の営巣受け部２の開口部２ａを、営巣材Ｘを営巣受け部２に収容した時点で、紐材３を鋼材Ｓから取り外して、紐材３によって営巣受け部２の開口部２ａを括って閉じる。そうすることで、営巣受け部２に収容した営巣材Ｘを、営巣受け部２の開口部２ａから落下させることなく、営巣受け部２に営巣材Ｘを収容した状態で、営巣材落下防止ネット１をリュックサックや身体に結び付けて地上に持ち運べる。
【００２９】
このように、本実施形態に係る営巣材落下防止ネットによれば、営巣受け部２の開口部２ａに営巣材Ｘを引っ掛けることなく、営巣受け部２の開口部２近傍から営巣受け部２内に営巣材Ｘを落とし込んで収容することができる。また、風の影響を受けることなく、営巣受け部２を鋼材Ｓに取り付けることができる。すなわち、営巣材Ｘの地上への落下を防止できるとともに、営巣材撤去作業の効率化が図れる。
【００３０】
なお、本発明は、上記実施形態に限定されるものではなく、本発明の要旨を逸脱しない範囲で種々変更を加え得ることは勿論のことである。
【００３１】
例えば、前記実施形態の場合、固定手段としての紐材３を、鉄塔ＰのアームＡの鋼材Ｓに巻きつけて、営巣受け部２を鋼材Ｓに取り付けるようにしたが、例えば、図５に示す如く、複数の矩形状の雌型及び雄型の面ファスナー３０ａ，３０ｂを営巣受け部２の開口部２ａの周縁に沿って外面及び内面に配置して、互いの面ファスナー３０ａ，３０ｂ同士を面着させて、アームＡの鋼材Ｓと営巣受け部２との間を隙間なく固定するようにしてもよい。これによって、営巣材Ｘに使用される金属製のハンガーや鉄線や木の枝が、アームＡの鋼材Ｓと営巣受け部２との隙間から落下するのを防止できる。また、鋼材Ｓは、アームＡの構成によっては、複雑に配置される場合があるため、種々の鋼材Ｓの配置状態に対応して営巣受け部２を取り付けできるように、雄型の面ファスナー３０ｂから離間した内面に雌型の面ファスナー３０ｃを配置するようにしてもよい。
【００３２】
また、前記実施形態の場合、固定手段としての紐材３を用いて、営巣受け部２の開口部２ａを閉じるようにしたが、図６に示す如く、営巣受け部２の開口部２ａに紐材４を挿通し、紐材４を引っ張って、営巣受け部２を巾着状にして、営巣受け部２の開口部２ａを閉じるようにしてもよい。
【００３３】
また、前記実施形態の場合、営巣受け部２の開口部２ａ側の所定の範囲を細目の網材２０で構成したが、図７に示す如く、細目の網材２０の代わりにシート２００で構成してもよい。但し、風の影響を考慮すれば、風の通しやすい本実施形態の図１に示す営巣受け部２の形態であることが好ましい。
【００３４】
また、前記実施形態の場合、営巣材Ｘの下方に、営巣受け部２の開口部２ａが位置するように、鉄塔ＰのアームＡの鋼材Ｓに営巣材落下防止ネット１を取り付けるようにしたが、図８に示す如く、アームＡの延びる方向に対して直交する両側面を覆うように取り付けるようにしてもよい。具体的には、営巣材落下防止ネット１の両側方を、傾斜して配置されるアームＡの鋼材Ｓの位置に吊り上げて固定する。この際、吊り上げられた営巣材落下防止ネット１の両側部によって、営巣材Ｘの両側方において、高さ方向の領域と、アームＡの延びる方向の領域とが覆われるようになり、風による営巣材Ｘの落下（飛散）を防止することができる。
【符号の説明】
【００３５】
１…営巣材落下防止ネット、２…営巣受け部、２ａ…開口部、２０…細目の網材、２１…粗目の網材、３…固定手段（紐材）、３０ａ〜３０ｃ…面ファスナー、４…紐材、２００…シート、Ｐ…鉄塔、Ａ…アーム、Ｓ…鋼材（被固定部材）、Ｘ…営巣材
【図１】
0005917581.tif 000002
【図２】
0005917581.tif 000003
【図３】
0005917581.tif 000004
【図４】
0005917581.tif 000005
【図５】
0005917581.tif 000006
【図６】
0005917581.tif 000007
【図７】
0005917581.tif 000008
【図８】
0005917581.tif 000009